(57)【要約】【課題】可動ハンドルの操作の際に、例えば左右にガタ付かないこと。【解決手段】錠前のハンドルのガタツキ防止装置は、可動ハンドルと、この可動ハンドルの内側に取付け板部が固定されたハンドル駆動部材と、このハンドル駆動部材の水平支持アーム部に可動ハンドルの左右動或いは上下動を規制する嵌合部を介して装着された板状案内部材と、この案内部材を固定すると共に、壁面と可動ハンドルとの間に介在し、かつ、壁面に固定された台座と、この台座内に固定された支持枠並びに前記支持アーム部に軸支された作動レバーと、前記支持枠内に設けられた可動ハンドル用の復帰バネとから成る。【選択図】  図２
2004308361.tif 000002
【特許請求の範囲】
【請求項１】
可動ハンドル３と、この可動ハンドルの内側３ａに取付け板部１５ａが固定されたハンドル駆動部材１５と、このハンドル駆動部材の水平支持アーム部１５ｂに可動ハンドル３の左右動或いは上下動を規制する嵌合部２２を介して装着された板状案内部材２１と、この案内部材２１を固定すると共に、壁面１ａと前記可動ハンドルとの間に介在し、かつ、壁面１ａに固定された台座５と、この台座５内に固定された支持枠２５並びに前記支持アーム部１５ｂに軸支された作動レバー３５と、前記支持枠内に設けられた可動ハンドル用の復帰バネ３６とから成る錠前のハンドルのガタツキ防止装置。
【請求項２】
請求項１に於いて、可動ハンドル３が壁面１ａに対して垂直状態に配設された場合、嵌合部２２の左右の内壁面２２ａ，２２ａと水平支持アーム部１５ｂの左右の側壁とがそれぞれ当接状態になることを特徴とする錠前のハンドルのガタツキ防止装置。
【請求項３】
請求項１に於いて、可動ハンドル３は、プッシュ・プル錠用のハンドルであり、一方、嵌合部は嵌合孔２２であり、該嵌合孔は、該ハンドルのハンドル駆動部材を前後方向に案内すると共に、該ハンドルの左右方向へのガタツキを防止する機能を有することを特徴とする錠前のハンドルのガタツキ防止装置。
【請求項４】
請求項１に於いて、台座５内に規制枠状のブッシュ部材４０が固定的に内装され、該ブッシュ部材の内壁面は、ハンドル駆動部材１５の支持アーム部１５ｂの左右側壁と接触することを特徴とする錠前のハンドルのガタツキ防止装置。
【請求項５】
請求項４に於いて、ブッシュ部材４０は、支持枠２５に取付け部分４０ｂを介して固定的に設けられていることを特徴とする錠前のハンドルのガタツキ防止装置。
【請求項６】
請求項１に於いて、ハンドルのガタツキ防止装置は、壁面１ａと可動ハンドルの内側３ａとの間に所要間隔を有して２個配設されていることを特徴とする錠前のハンドルのガタツキ防止装置。
【発明の詳細な説明】
【０００１】
【発明の属する技術分野】
本発明は、錠前のハンドルのガタツキ防止装置に関し、特に扉に設けられたプッシュ・プル錠用ハンドルのガタツキ防止装置に適用される。
【０００２】
【従来の技術】
ハンドル錠の一例としてのプッシュ・プル錠は、その施錠片（ラッチ）を係止するロッキングピースの係止状態を解除する場合には、扉（或いは錠箱）の壁面を基準にしてハンドル（把手）を壁面側へプッシュする（押す）、又は手前にプルする（引く）。
【０００３】
出願人は、先行技術文献情報の開示義務として、（１）特開平１０−３１１７３号公報、（２）実開平６−６６５６号公報等を記載する。これらの公報にはプッシュ・プル錠の構造が開示されている。
【０００４】
これらの先行技術文献から明らかのように、普通一般にハンドル用の台座は、扉或いは錠箱の壁面とハンドルとの間に座が設けられている。そして、座の内部に錠箱内へと突出する作動杆を取付けられている。そこで、人が扉を開閉する際に、プッシュ・プル錠のハンドルを持ったままプッシュ、又はプルすると、作動杆に係合する錠箱内のロッキングピースは、ラッチの係止を解除するように揺動するので、扉を開くと、ラッチはラッチバネのバネ力に抗して後退する。そして、扉を開いた後にハンドルから手を離すと、ハンドルは座の内部或いは錠箱に設けられた復帰バネにより、初期位置へと自動的に復帰する。
【０００５】
前記（１）の特開平１０−３１１７３号公報には、ハンドルを壁面に対して垂直又は水平状態に取付ける考え方が記載されている。また、該ハンドルを、扉を開く方向へ操作すると、座の内部にピンを介して揺動するＬ型作動片、該作動片に連動する係合解除片、該係合解除片に連動するロッキングピースが存在することもそれぞれ開示されている。
【０００６】
ところで、ハンドルを壁面側へプッシュする、又は手前にプルする場合に、ハンドルに対する操作力が左右に分散する場合が一般的である。したがって、ハンドルホルダーと台座との間に間隙があると、いわゆる「左右に又は上下にガタツキ」が発生する。
【０００７】
出願人は、日本国の特許庁のデータベースを利用して調査してみた所、錠前の分野に於いて、ハンドルの操作時にハンドルのガタツキ防止する具体的な装置を発見することができなかった。
【０００８】
【発明が解決しようとする課題】
本発明の第１の目的は、可動ハンドルを壁面に対して垂直又は水平状態に配設した場合に於いて、左右又は上下にガタ付かないこと。第２の目的は、各部材の組み合わせが容易であること。第３の目的は、より完璧にガタツキの防止化を図ること。
【０００９】
【課題を解決するための手段】
錠前のハンドルのガタツキ防止装置は、可動ハンドル３と、この可動ハンドルの内側３ａに取付け板部１５ａが固定されたハンドル駆動部材１５と、このハンドル駆動部材の水平支持アーム部１５ｂに可動ハンドル３の左右動或いは上下動を規制する嵌合部２２を介して装着された板状案内部材２１と、この案内部材２１を固定すると共に、壁面１ａと前記可動ハンドルとの間に介在し、かつ、壁面１ａに固定された台座５と、この台座５内に固定された支持枠２５並びに前記支持アーム部１５ｂに軸支された作動レバー３５と、前記支持枠内に設けられた可動ハンドル用の復帰バネ３６とから成る。
【００１０】
ここで「壁面」とは、建物の出入口に設けられた開閉扉の内外の壁面、門扉の壁面、開閉扉又は門扉に固定された錠ケースの外壁面を言う。
【００１１】
【発明の実施の形態】
１は扉で、この扉１は蝶番を介して建物の出入り口に開閉自在に取付けられている。２は扉１の開放側端部の開口に内装されたハンドル錠（例えばプッシュ・プル錠）で、このハンドル錠２は、ラッチ、ラッチバネ、ラッチと係脱するロッキングピースなど錠機構を構成する各部材を備えている。
【００１２】
３は錠前のハンドルのガタツキ防止装置Ｘを介して扉１又は錠箱１の壁面１ａ（本実施例では扉の壁面）に対して取付けられた可動ハンドルである。したがって、この実施例の壁面１ａは、扉１の室外側の表面又は／及び室内側の裏面を意味する。可動ハンドル３は、ガタツキ防止装置Ｘの位置に対応して縦又は横方向に配設されている。本実施例では、ガタツキ防止装置Ｘは所要間隔を有して上下にそれぞれ設けられている。したがって、可動ハンドルは、壁面１ａに縦方向に取付けられている（図１参照）。
【００１３】
以下、図２〜図１５を参照にしてハンドルのガタツキ防止装置Ｘを説明する。本発明のガタツキ防止装置Ｘは、図１で示すように同一構成のものが壁面１ａに合計２個固定されているので、説明の便宜上、一方のみ説明する。なお、ガタツキ防止装置Ｘを壁面１ａに複数個設けることは本発明の特定要件ではない。１個であっても、可動型のハンドルが左右又は上下にガタ付かなければ良い。
【００１４】
要は施錠片（例えばラッチ）を、錠箱に内装されたロッキングピースを介して解錠状態にするために、押し又は引き動作する可動操作部材３が、壁面１ａに対するその配設態様に対応して左右又は上下方向にガタ付かなければ良い。
【００１５】
まず、５は壁面１ａと棒状可動ハンドル３の弧状内側３ａとの間に介在する角筒型台座である。この台座５は、図３で示すように、一端開口部或いは内部の上下の取付け部分６，７から囲い壁８が後方（壁面側）へ多少外拡している。台座５の囲い壁８は、本実施例では、図３を基準にすると、上壁８ａ、下壁８ｂ、左壁８ｃ、右壁８ｄから成る他端開口部（後端）が矩形状に形成されている。
【００１６】
しかして、前記上下の取付け部分６，７には、扉１側の複数個の取付け螺杆９がそれぞれ螺合するメネジ部６ａ，７ａが、囲い壁８の開口後端に向かって水平状態に突設している。上下の取付け部分６，７の形状は、特に限定するものではない。両者６，７は多少離間している。
【００１７】
図３を基準にすると、上方の取付け部分６は、正面視やや逆Ｔ字型状に形成されているのに対し、下方の取付け部分７は、正面視Ｕ字型状に形成されている。下方の取付け部分７は、後述するブッシュ部材４０を受け入れる構成となっている。また、上下の取付け部分６，７には、前記メネジ部６ａ，７ａよりも外側の部位に第１固着具１０用の貫通小孔６ｂ，７ｂがそれぞれ形成されている。囲い壁８の上下壁８ａ，８ｂの一端開口部（先端）は、可動ハンドル３の弧状内側３ａに対応して湾曲状に形成されている。台座５の細部については説明を割愛する。
【００１８】
次に、１５は可動ハンドル３の弧状内側３ａに固定されるハンドル駆動部材である。ハンドル駆動部材１５は、図５〜図９で示すように、可動ハンドル３に複数個の第２固着具１６を介して固着される縦方向の取付け板部１５ａと、この取付け板部１５ａから水平方向に延設する支持アーム部１５ｂとから成る。
【００１９】
しかして、前記取付け板部１５ａの接合面も可動ハンドル３の弧状内側３ａに対応して湾曲状に形成されている。また、上下端部には第２固着具１６用の貫通孔１７，１７が形成されている。
【００２０】
前記支持アーム部１５ｂは、楕円型又は角型である。本実施例では角型の杆状に突出形成され、略半分に相当する突出先端部側は、平面視コ字状の切欠部１８を有する軸受け部分となっている。したがって、支持アーム部１５ｂの突出先端部側には一対の軸孔１９が形成されている。
【００２１】
ハンドル駆動部材１５は、可動ハンドル３の弧状内側３ａに第２固着具１６用のネジ穴２０，２０が形成されているので、これらのネジ穴２０，２０、前記貫通孔１７，１７、及び第２固着具１６を介して可動ハンドル３に固着される（図２参照）。
【００２２】
図５，図７で示すように、２１はハンドル駆動部材１５の支持アーム部１５ｂに嵌合する嵌合部（例えば縦長状の角型嵌合孔）２２を有するやや肉厚板状の案内部材で、この案内部材２１の上下の端部（横にした場合には左右の端部）には、第１固着具１０用のメネジ２３，２３が形成されている。
【００２３】
図２で示すように前記嵌合孔２２に支持アーム部１５ｂが貫通状態に嵌り合うと、案内部材２１の前壁と取付け板部１５ａの外（後）壁面とが当接状態となる。また、図６で示すように支持アーム部１５ｂの左右外壁面と嵌合孔２２の対向する左右内壁面２２ａ，２２ａとが当接状態となる。但し、支持アーム部１５ｂの上下外壁面と嵌合孔の対向する上下内壁面との間には多少の隙間がある。
【００２４】
したがって、可動ハンドル３の左右動は、嵌合孔２２の対向する左右内壁面２２ａ，２２ａに規制されるので、可動ハンドル３の左右方向に対する「ガタツキ」が生じない。
【００２５】
案内部材２１は、台座５に後述する支持枠、作動レバー等を組み込んだ後、前述した第１固着具１０，１０を介して台座５の前方開口内に固着される。
【００２６】
それ故に、案内部材２１は、台座５と一体的になり、かつ、嵌合孔２２を介し、可動ハンドル３を保持するハンドル駆動部材１５を前後方向に案内すると共に、該ハンドル駆動部材の左右の側壁と面接触して可動ハンドルの左右方向へのガタツキを防止する機能を有する。
【００２７】
次に２５は、台座５の中央部に組み込まれる支持枠である。図１１を基準にすると、支持枠１５は、垂直壁の中央部２５ａと、この中央部２５ａと直交する左右一対の軸受け側板２５ｂ，２５ｂとから成る。
【００２８】
しかして、前記中央部２５ａの上下端部には、図１１及び図１２で示すように、貫通状メネジ２６，２６が形成されている。また、中心部分に第３固着具２７用の貫通孔２８が形成されている。また、貫通孔２８と前記下方のメネジ２６との間に案内部材２１の嵌合孔２２と符合する切欠或いは矩形窓２９が形成されている。さらに、前記貫通孔２８と上方のメネジ２６との間には、バネ端支持用の小切欠３０が形成されている。
【００２９】
一方、前記軸受け側板２５ｂ，２５ｂには、その段差状に突出する突起部に固定軸３１用の軸取付け孔３２，３２が形成されている。また、軸受け側板２５ｂ，２５ｂの下部には、やや弧状の曲率を有する案内長孔３３，３３が形成されている。
【００３０】
しかして、軸取付け孔３２，３２には固定軸３１が、一方、案内長孔３３，３３及びハンドル駆動部材１５の軸孔１９，１９にはピン状の可動軸３４が横架される。
【００３１】
次に３５は支持枠１５の軸受け側板２５ｂ，２５ｂに前記固定軸３１及び可動軸３４を介して軸支された作動レバーである。作動レバー３５は、図示しない錠箱内のロッキングピースと直接又は間接的に係合するように、例えば斜めＴ字路形状に形成されている。作動レバー３５は、本実施例では、軸支された傾斜部分３５ａと、この傾斜部分３５ａの中央部から延設する水平部分（係合部分或いは連結部分）３５ｂとを有している。水平部分３５ｂは壁面１ａの内部（扉１又は錠箱１の内部）まで延びている。
【００３２】
したがって、作動レバー３５は、可動ハンドル３を壁面１ａから離れるように引くと、図１３の仮想線で示すように固定軸３１を基準にし、かつ、可動軸３４の軌跡にしたがって反時計方向へと所定量回転する。３６は作動レバー３５を初期位置へと戻す復帰バネである。この復帰バネ３６の中央部３６ａは固定軸３１に巻装されている。復帰バネ３６は間接的には可動ハンドルを初期位置へと戻すためのバネ部材である。復帰バネ３６の一端部３６ｂは支持枠２５の小切欠３０の縁に係合し、一方、他端部３６ｃは可動軸３４に係合している。
【００３３】
図１４，図１５に示す４０は、支持枠２５の左右軸受け側板２５ｂ，２５ｂの内壁面、或いは台座５のＵ字型下方取付け部分７の内側に形成したＵ字型支持枠部（本実施例）とハンドル駆動部材１５の支持アーム部１５ｂの左右側壁にそれぞれ面接触するブッシュ部材である。このブッシュ部材４０は、前記軸受け側板２５ｂと支持アーム部１５ｂとの隙間を埋める部材でもあり、また、可動ハンドルのガタツキを防止する機能を有する部材でもある。
【００３４】
このブッシュ部材４０は、後壁及び上壁の中央部が開口している。すなわち、ブッシュ部材４０は、図３及び図１５に示すように、図３の正面視に於いて花瓶を断面にした形状、或いは図１５に於いて断面矩形状の規制部分４０ａと、該規制部分４０ａの一端中央部から突出する取付け部分４０ｂとから成る。
【００３５】
しかして、前記取付け部分４０ｂには、支持枠２５の貫通孔２８と符合する取付け孔４１が形成されている。したがって、ブッシュ部材４０は、前述した第３固着具２７を介して支持枠２５の内壁面に添設状態に固定される（図１３参照）。
【００３６】
上記の構成に於いて、ガタツキ防止装置Ｘを、壁面１ａと可動ハンドルの内側３ａとの間に装着する場合について説明する。まず、図５で示すように固着具１６を介してハンドル駆動部材１５を可動ハンドル３に固着する。次に、図６，図７で示すように案内部材２１をハンドル駆動部材１５に嵌め込む。次に、図１３で示すように支持枠２５に作動レバー３５、固定軸３１、可動軸３４及び復帰バネをそれぞれ適宜に取付ける。この時第３固着具２７を介してブッシュ部材４０を支持枠２５の内壁面に固着する。
【００３７】
この時、作動レバー３５の傾斜部分３５ａをハンドル駆動部材１５の支持フーム部１５ｂの切欠部１８に差し込み、かつ、固定軸３１を支持枠２５の軸取付け孔３２から差し込む。一方、可動軸３４を支持枠２５の案内長孔３３から差し込む。これにより、ハンドル駆動部材１５と作動レバー３５は軸支された状態で連結される。さらに、台座５をハンドル駆動部材１５に嵌め込む。
【００３８】
しかる後に、第１固着具１０を介して台座５をとハンドル駆動部材１５とを一体的に固着する。そして、扉１側から取付け螺杆９を台座５の上下の取付け部分６，７に差し込み、かつ、支持枠２５のメネジ２６にそれぞれ螺合させる。そうすると、ハンドル駆動部材１５は、案内部材２１の嵌合孔１１の左右内壁面２２ａ，２２ａとブッシュ部材４０の規制部分４０ａの左右内壁面とでそれそれ規制される。
【００３９】
【実施例】
可動ハンドルの形態は問わない。プッシュ・プルできる操作部材であれば良い。台座５の囲い壁８は、少なくとも内部の取付け部分６，７に対する概念であり、スリバチ状の周壁、ラッパ状の周壁、上下左右の壁を有する多角形の周壁、楕円形の周壁がそれぞれ含まれる。案内部材２１の嵌合部２２は、角型嵌合孔、楕円嵌合孔などハンドル駆動部材の支持アーム部の外観形状に対応して決まる。作動レバーの形状及び該作動レバー（バンドル用）の復帰バネの設置箇所は、発明の目的を変更しない限り、任意に設計変更可能である。台座の一部は、ハンドルの内側に形成した凹所に嵌合させても良い。可動ハンドル３は、壁面１ａに対して垂直又は水平状態に配設することができる。
【００４０】
【発明の効果】
以上の説明から明らかなように、本発明にあっては、次に列挙するような効果がある。
（１）ハンドル駆動部材の水平支持アーム部１５ｂに可動ハンドル３の左右動或いは上下動を規制する嵌合部２２を介して板状案内部材２１を装着し、該案内部材２１を台座に固定したので、可動ハンドルの操作の際に、例えば左右にガタ付かない。
（２）台座内に支持枠２５を介して各部材を組み込むので、組み合わせが容易である。
（３）請求項４及び請求項５に記載の発明は、ハンドル駆動部材１５のプッシュ・プル方向のニケ所に於いて、案内部材２１とブッシュ部材４０がそれぞれ水平支持アーム部１５ｂの左右側壁に当接するから、より一層、可動ハンドル３のガタ付を防止することができる。
【図面の簡単な説明】
図１乃至図１５は本発明の一実施例を示す各説明図。
【図１】実施環境の一例を示す概略説明図。
【図２】実施環境に於ける縦断面説明図。
【図３】壁面側から見た概略説明図（便宜上の正面図）。
【図４】実施環境に於ける上方から見た概略説明図。
【図５】本発明の主要部を示す斜視図。
【図６】案内部材とハンドル駆動部材との関係を示す一部概略断面説明図。
【図７】案内部材とハンドル駆動部材との関係を示す概略斜視図。
【図８】ハンドル駆動部材の平面図。
【図９】図８の９−９線断面図。
【図１０】案内部材の縦断面説明図。
【図１１】支持枠を中心とする各部材の分解斜視図（ブッシュ部材を除く）。
【図１２】支持枠の縦断面説明図。
【図１３】支持枠に取付けた各部材の説明図。
【図１４】支持枠を中心とする各部材の組み合わせ状態を示す説明図。
【図１５】ブッシュ部材の縦断面説明図。
【符号の説明】
１…扉、１ａ…壁面、２…ハンドル錠、３…可動ハンドル、３ａ…内側、Ｘ…ガタツキ防止装置、５…台座、６…上の取付け部分、７…下の取付け部分、８…囲い壁、９…取付け螺杆、１０…第１固着具、１５…ハンドル駆動部材、１５ａ…取付け板部、１５ｂ…支持アーム部、１６…第２固着具、１７…貫通孔、１８…切欠部、１９…軸孔、２０…ネジ穴、２１…案内部材、２２…嵌合部、２２ａ…左右内壁面、２３…メネジ、２５…支持枠、２５ａ…中央部、２５ｂ…軸受け側板、２６…メネジ、２７…第３固着具、２８…貫通孔、２９…窓、３０…小切欠、３１…固定軸、３２…軸取付け孔、３３…案内長孔、３４…可動軸、３５…作動レバー、３５ａ…傾斜部分、３５ｂ…係合部分、３６…復帰バネ、４０…ブッシュ部材、４０ａ…規制部分、４０ｂ…取付け部分。
【図１】
2004308361.tif 000003
【図２】
2004308361.tif 000004
【図３】
2004308361.tif 000005
【図４】
2004308361.tif 000006
【図５】
2004308361.tif 000007
【図６】
2004308361.tif 000008
【図７】
2004308361.tif 000009
【図８】
2004308361.tif 000010
【図９】
2004308361.tif 000011
【図１０】
2004308361.tif 000012
【図１１】
2004308361.tif 000013
【図１２】
2004308361.tif 000014
【図１３】
2004308361.tif 000015
【図１４】
2004308361.tif 000016
【図１５】
2004308361.tif 000017